(57)【特許請求の範囲】
【請求項１】
光学系を支持する固定筒と、
前記固定筒の外周側に備えられ、前記固定筒に対向する内周面に備えられたリブを複数有する筒状部材と、
前記固定筒に固定され、前記複数のリブに当接し、前記リブの延在する方向と交差する方向に備えられた板状部材と、
前記板状部材の一方の面に固定され、前記筒状部材の内周面、前記板状部材および前記複数のリブで囲まれた間隙の少なくとも一部を覆って備えられた第１の電子部品と、
前記板状部材の前記第１の電子部品が固定されている面と反対側の面に固定された第２の電子部品と、
前記筒状部材の内周面、前記板状部材および前記複数のリブで囲まれた間隙を通して、前記第１の電子部品と前記第２の電子部品とを電気的に接続する導電性部材とを有することを特徴とするレンズ鏡筒。
【請求項２】
請求項１に記載されたレンズ鏡筒であって、  前記板状部材の面から前記板状部材と交差する方向に延在し部品が搭載される部品取付板を有することを特徴とするレンズ鏡筒。
【請求項３】
請求項２に記載されたレンズ鏡筒であって、  前記部品取付板に取り付けられ、前記固定筒に対して相対的に移動する部材の移動を検出するセンサを有することを特徴とするレンズ鏡筒。
【請求項４】
請求項１から請求項３までの何れか１項に記載されたレンズ鏡筒であって、  前記板状部材は、前記光学系の光軸に直交する平面上に設けられていることを特徴とするレンズ鏡筒。
【請求項５】
請求項１から請求項４までの何れか１項に記載されたレンズ鏡筒であって、
前記板状部材は、前記レンズ鏡筒の円周方向の少なくとも下半分に設けられていることを特徴とするレンズ鏡筒。
【請求項６】
請求項５に記載されたレンズ鏡筒であって、  前記板状部材は、前記円周方向の下半分を含む１８０°以上の範囲にわたって設けられていることを特徴とするレンズ鏡筒。
【請求項７】
請求項１から請求項６までのいずれか１項に記載されたレンズ鏡筒を含むことを特徴とする撮影機器。 
【発明の詳細な説明】
【技術分野】
【０００１】
本発明は、レンズ鏡筒及びそれを備えた撮影機器に関する。
【背景技術】
【０００２】
一眼レフカメラ等に用いるレンズ鏡筒を構成する外筒に、レンズ鏡筒の光軸方向に対する強度を向上するために、複数のリブを設けることが知られている（例えば、特許文献１参照）。しかしながら、上述の技術では、レンズ鏡筒を構成する外筒の剛性が不十分であり、手でレンズを握る等のラジアル負荷に対して、外筒に変形が生じてしまい、撮影者に違和感を与えたり、外筒の変形によりレンズ鏡筒内に水や光が進入してしまうという問題があった。
【０００３】
【特許文献１】特開平７−２７０８７９号公報
【発明の開示】
【発明が解決しようとする課題】
【０００４】
本発明が解決しようとする課題は、剛性に優れたレンズ鏡筒及びそれを備えた撮影機器を提供することである。
【０００５】
請求項１に係る発明は、光学系（２，３，４，５）を支持する固定筒（６）と、前記固定筒（６）の外周側に備えられ、前記固定筒（６）に対向する内周面に備えられたリブ（８）を複数有する筒状部材（７）と、前記固定筒（６）に固定され、前記複数のリブ（８）に当接し、前記リブ（８）の延在する方向と交差する方向に備えられた板状部材（１９，２０）と、前記板状部材（１９，２０）の一方の面に固定され、前記筒状部材（７）の内周面、前記板状部材（１９，２０）および前記複数のリブ（８）で囲まれた間隙の少なくとも一部を覆って備えられた第１の電子部品（２３）と、前記板状部材の前記第１の電子部品が固定されている面と反対側の面に固定された第２の電子部品（３０）と、前記筒状部材（７）の内周面、前記板状部材（１９，２０）および前記複数（８）のリブで囲まれた間隙を通して、前記第１の電子部品（２３）と前記第２の電子部品（３０）とを電気的に接続する導電性部材（３１）とを有することを特徴とするレンズ鏡筒である。
【００１０】
請求項２の発明は、請求項１に記載されたレンズ鏡筒であって、前記板状部材（１９，２０）の面から前記板状部材（１９，２０）と交差する方向に延在し部品が搭載される部品取付板（１９ａ）を有することを特徴とするレンズ鏡筒である。 
【００１１】
請求項３の発明は、請求項２に記載されたレンズ鏡筒であって、前記部品取付板（１９ａ）に取り付けられ、前記固定筒（６）に対して相対的に移動する部材（１２，１６）の移動を検出するセンサ（１７，１８）を有することを特徴とするレンズ鏡筒である。
【００１２】
請求項４の発明は、請求項１〜３までの何れか１項に記載されたレンズ鏡筒であって、前記板状部材（１９，２０）は、前記光学系（２，３，４，５）の光軸に直交する平面上に設けられていることを特徴とするレンズ鏡筒である。 
【００１３】
請求項５の発明は、請求項１〜４までの何れか１項に記載されたレンズ鏡筒であって、前記板状部材（１９，２０）は、前記レンズ鏡筒の円周方向の少なくとも下半分に設けられていることを特徴とするレンズ鏡筒である。
【００１４】
請求項６の発明は、請求項５に記載されたレンズ鏡筒であって、前記板状部材（１９，２０）は、前記円周方向の下半分を含む１８０°以上の範囲にわたって設けられていることを特徴とするレンズ鏡筒である。 
【００１５】
請求項７の発明は、請求項１〜６までのいずれか１項に記載されたレンズ鏡筒を含むことを特徴とする撮影機器である。 
【発明の効果】
【００１６】
本発明では、剛性に優れたレンズ鏡筒及びそれを備えた撮影機器が提供される。
【発明を実施するための最良の形態】
【００１７】
以下、本発明の実施形態を図面に基づいて説明する。
【００１８】
《第１実施形態》
図１は本発明の第１実施形態に係るカメラを示す全体斜視図であり、レンズ鏡筒１と、カメラボディ１００とを有する。
【００１９】
図２は本発明の第１実施形態に係るレンズ鏡筒１の主要部断面図、図３は図２のＩＩ−ＩＩ線に沿った断面図である。図２に示すように、本実施形態に係るレンズ鏡筒１は、カメラボディ１００に取り付け可能な交換レンズであり、光学系を構成するレンズ２〜５と、カメラボディ１００に対して装着される固定筒６と、レンズ鏡筒１の最外郭部を構成する飾り環７とを備えるものである。
【００２０】
レンズ鏡筒１内には、４つのレンズ２，３，４，５から構成される光学系が設けられている。３枚のレンズ２，３，４は、焦点位置に依存しないレンズ郡を構成しており、ビス１０を介して固定枠６に固定された第１のレンズ枠９により保持されている。
【００２１】
また、レンズ５は、光学系の光軸方向に沿って移動可能なフォーカシングレンズ群を構成しており、撮影者がフォーカス環（図示省略）を操作すると（回転させると）、レンズ５から構成されるフォーカシングレンズ群は、レンズ２，３，４で構成されるレンズ郡に接近したり離遠するようになっている。
【００２２】
具体的には、レンズ５は、第２のレンズ枠１１に保持されており、第２のレンズ枠１１の端部にはカムフォロア１１ａが装着されており、このカムフォロア１１ａは、カム環１２のカム溝１３内に移動可能に挿入されている。また、第２のレンズ枠１１は、ビス１５を介して固定筒６に固定された保持部材１４により保持されており、これにより、レンズ５のレンズ鏡筒の周方向の動きが制限される構成となっている。そして、レンズ５は、アクチュエータ（図示省略）によりカム環１２が、固定筒６に対して相対的に回転することにより、レンズ鏡筒１の光軸方向を移動できるようになっている。
【００２３】
本実施形態のレンズ鏡筒１は、レンズ５の移動位置を測定するための距離エンコーダであって、複数のブラシ１７及びフレキシブルプリント配線板１８からなる距離エンコーダを備えている。複数のブラシ１７は、カム環１２に固定された取り付け部材１６を介して、レンズ５の光軸方向の移動に伴い、レンズ鏡筒１の周方向に、しかも、固定筒６に対して相対的に移動するようになっている。そして、距離エンコーダは、この複数のブラシ１７の移動による、複数のブラシ１７とフレキシブルプリント配線板１８との電気的な接触位置に基づいて、レンズ５の移動位置を検出できるようになっている。
【００２４】
フレキシブルプリント配線板１８は、図２、図３に示すように、第１の支持基板１９に形成された取付け部１９ａ上に、レンズ鏡筒１の周方向にわたって形成されている。
【００２５】
図３に示すように、第１の支持基板１９は、取付け部１９ａ上に形成されたフレキシブルプリント配線板１８以外に、レンズ鏡筒１の動作に必要とされる電子部品２２，２３，２４およびコネクタ２６を実装するための基板であり、ビス２１を介して、固定筒６の外周側に固定されている。また、コネクタ２６には、電気信号や電流を流すためのフレキシブル基板２７が接続されている。
【００２６】
第２の支持基板２０も、同様に、レンズ鏡筒１の動作に必要とされる電子部品２５、およびフレキシブル基板２９を有するコネクタ２８を実装するための基板であり、ビス（図示省略）を介して固定筒６の外周側に固定されている。
【００２７】
ここで、第１の支持基板１９に実装される電子部品２２，２３，２４としては、特に限定されないが、たとえば、メモリやＣＰＵ、各種センサなどが挙げられる。第２の支持基板２０に実装される電子部品２５としては、特に限定されないが、たとえば、超音波モータなどが挙げられる。
【００２８】
図２、図３に示すように、第１の支持基板１９は、その内周側でビス２１を介して固定筒６に固定される一方で、外周側においては、飾り環７に形成された複数のリブ８に当接した構成となっている。なお、飾り環７に形成された複数のリブ８は、飾り環７の内周側に、飾り環７の周方向に一定間隔で、レンズ鏡筒１の光軸方向に沿って延在して形成されている。
【００２９】
また、同様に、第２の支持基板２０も、その内周側でビス（図示省略）を介して固定筒６に固定される一方で、外周側においては、飾り環７に形成された複数のリブ８に当接した構成となっている。なお、これら第１の支持基板１９、および第２の支持基板２０は、図２、図３に示すように、リブ８の延在方向と交差するように、レンズ鏡筒１の光軸に直交する平面上に、レンズ鏡筒１の外周方向に延在する形で設けられている。
【００３０】
本実施形態では、第１の支持基板１９、および第２の支持基板２０をこのような構成とすることにより、レンズ鏡筒１の剛性を向上させることができる。たとえば、図１に示すように、撮影者が撮影を行うためにレンズ鏡筒１の最外郭部を握った際に、レンズ鏡筒１に対してラジアル負荷（レンズ鏡筒１の中心方向の負荷）がかかった場合においても、飾り環７単体ではなく、第１の支持基板１９、および第２の支持基板２０を介して、固定筒６の剛性も加えられることとなるため、飾り環７の変形（特に、レンズ鏡筒１の中心方向への変形）を抑制することができる。
【００３１】
特に、第１の支持基板１９、および第２の支持基板２０を飾り環７のうちリブ８で当接させることにより、第１の支持基板１９、および第２の支持基板２０の当接面の精度があまり高くない場合でも、リブ８の高さで吸収することができるため、飾り環７の外側表面に、第１の支持基板１９、および第２の支持基板２０に基づく、凹凸が発生することはない。
【００３２】
また、図３に示すように、本実施形態では、第１の支持基板１９および第２の支持基板２０を、少なくとも、レンズ鏡筒１の円周方向の下半分を含む１８０°以上の範囲にわたって設けている。通常、ユーザが撮影を行うためにレンズ鏡筒１を握る場合には、図１に示すように、レンズ鏡筒１の下半分の範囲を握ることが多い。また、レンズ鏡筒１の円周方向の下半分の範囲は重力のかかる部分でもある。そのため、第１の支持基板１９および第２の支持基板２０は、このような範囲にわたって設けることが好ましい。
【００３３】
しかも、本実施形態においては、飾り環７の変形が抑制できることにより、飾り環７が、レンズ鏡筒１の中心方向に押しつぶされ難くなるため、電子部品２３のように、その一部を第１の支持基板１９の縁部からはみ出させて、飾り環７と互いに隣り合うリブ８と第１の支持基板１９とで囲まれる間隙内に突き出した状態で配置することができる。そのため、本実施形態によれば、第１の支持基板１９または第２の支持基板２０上に比較的大きな電子部品を実装させることができる。
【００３４】
加えて、図２に示すように、飾り環７と互いに隣り合うリブ８と第１の支持基板１９とで囲まれる間隙内を通って、フレキシブル基板３１を配置し、フレキシブル基板３１を介して、第１の支持基板１９のカメラボディ１００側に実装された電子部品２３と、第１の支持基板１９の被写体側に実装された電子部品３０と、を電気的に接続された構成とすることができる。これにより、第１の支持基板１９または第２の支持基板２０上への電子部品の配置の自由度が向上する。
【００３５】
《第２実施形態》
次に、本発明の第２実施形態について説明する。本発明の第２実施形態は、以下に説明する以外は、上述の第１実施形態と同様の構成を有し、同様の作用効果を奏するものである。
【００３６】
図４は、本発明の第２実施形態に係るレンズ鏡筒１ａの主要部断面図である。第２実施形態は、第１実施形態における第１の支持基板１９および／または第２の支持基板２０の代わりに、図４に示す支持基板２００を用いている。第１実施形態と同様に、支持基板２００は、その内周側がビス２１を介して固定筒６に固定され、外周側が、飾り環７に形成された複数のリブ８に当接した構成となっている。第２実施形態では、第１実施形態とは異なり、支持基板２００には、レンズ鏡筒１の光軸方向に平行な方向に延在した当接部材２００ａが形成されている。この当接部材２００ａは、その内周側においては、固定筒６に当接され、かつ、その外周側においては、飾り環７に形成されたリブ８に当接するように形成されている。なお、このような当接部材２００ａは、飾り環７の複数のリブ８にあわせて、複数個設けても良い。
【００３７】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００３８】
上述の実施形態では、カメラ用の交換用レンズに本発明を適用した例について説明したが、本発明においては特に限定されず、双眼鏡や望遠鏡などのその他の光学機器のレンズ鏡筒に本発明を適用しても良い。
【００３９】
また、上述の実施形態では、第１の支持基板１９および第２の支持基板２０を固定筒６に固定し、飾り環７のリブ８に当接する例を示したが、第１の支持基板１９および第２の支持基板２０のいずれか一方または両方を飾り環７のリブ８に固定し、固定筒６に当接する態様としても良い。
【００４０】
さらに、上述の実施形態では、第１の支持基板１９および第２の支持基板２０を、少なくとも、レンズ鏡筒１の円周方向の下半分側に設けているが、これらはレンズ鏡筒１の円周方向の全周にわたって設けてもよいし、あるいはレンズ鏡筒１の上半分側に設けても良い。さらには、第１の支持基板１９および第２の支持基板２０の２つの基板を必ずしも用いる必要はなく、１つの基板のみでも良いし、３つ以上の基板を用いても良い。
【図面の簡単な説明】
【００４１】
【図１】図１は本発明の第１実施形態に係るカメラを示す全体斜視図である。
【図２】図２は本発明の第１実施形態に係るレンズ鏡筒の主要部断面図である。
【図３】図３は図２のＩＩ−ＩＩ線に沿った断面図である。
【図４】図４は本発明の第２実施形態に係るレンズ鏡筒の主要部断面図である。
【符号の説明】
【００４２】
１…レンズ鏡筒
２〜５…レンズ
６…固定筒
７…飾り環
８…リブ
１２…カム環
１３…カム溝
１９…第１支持基板
２０…第２支持基板
【図１】
0004957624.tif 000002
【図２】
0004957624.tif 000003
【図３】
0004957624.tif 000004
【図４】
0004957624.tif 000005